(57)【特許請求の範囲】
【請求項１】
電子物品監視（EAS）システム及び当該EASシステムに接続されたEASタグ非アクティブ化装置とユーザーとの対話、監視および制御を行うためのユーザー管理インターフェースであって、
ユーザーが操作するためのユーザーアクセス可能入力手段と、
該ユーザーアクセス可能入力手段に応答して前記EASシステムと対話し、前記EASシステムの監視および制御を行なうための信号を発生する発生手段と、
前記EASシステムから信号を受信して該信号に関する表示を与える受信手段であって、該受信手段によって前記EASシステムから受信した前記信号が、EASシステムイベントデータを示す信号を含み、
前記ユーザーアクセス可能入力手段は、種々の運転モードを確立するために、前記EASシステム及び/又はEASタグ非アクティブ化装置を選択的に作動、非作動の状態にすることができるようになっていることを特徴とするユーザー管理インターフェース。
【請求項２】
請求項1のユーザー管理インターフェースにおいて、
前記EASシステム及びEASタグ非アクティブ化装置の制御を行なうための信号が、前記EASシステム及び/又はEASタグ非アクティブ化装置の作動および非作動を制御する1又は2以上の制御信号を含むことを特徴とするユーザー管理インターフェース。
【請求項３】
請求項2のユーザー管理システムにおいて、
前記受信手段が、EASシステムイベントデータおよび表示されているデータの種類を表示するためのディスプレーを含むことを特徴とするユーザー管理インターフェース。
【請求項４】
請求項3のユーザー管理インターフェースにおいて、
前記EASシステムイベントデータが、前記EASシステムの警報状態の個数、前記EASシステムを通過した人員数、前記EASシステムの作動停止回数および前記EASシステム内のタグが非アクティブ化された回数の内の1又は2以上のものを含むことを特徴とするユーザー管理インターフェース。
【請求項５】
請求項4のユーザーインターフェースにおいて、
前記受信手段によって前記EASシステムから受信した前記信号がさらに、EASタグ非アクティブ化装置および前記EASシステムの作動および作動停止を表す信号を1又は2以上を含み、また
前記受信手段が、さらに、前記EASタグ非アクティブ化装置および前記EASシステムの作動および作動停止の1又は2以上を表示するための表示手段を含むことを特徴とするユーザー管理インターフェース。
【請求項６】
請求項5のユーザー管理インターフェースにおいて、
前記発生手段が、さらに、前記表示手段に現在表示されている前記EASシステムイベントデータをゼロにリセットすることを表す信号を発生する手段を含むことを特徴とするユーザー管理インターフェース。
【請求項７】
請求項6のユーザー管理インターフェースにおいて、
前記発生手段にさらに含まれた前記手段が、前記ユーザー管理インターフェースに接近させた磁石に応答することを特徴とするユーザー管理インターフェース。
【請求項８】
請求項6のユーザー管理インターフェースにおいて、
前記受信手段によって受信された前記信号が、前記ディスプレイにより現在表示されている前記EASシステムイベントデータをゼロにリセットする信号を含むことを特徴とするユーザー管理インターフェース。
【請求項９】
請求項5のユーザー管理インターフェースにおいて、
前記ユーザー管理インターフェースが1又は2以上のオペレーションモードを有し、
前記ユーザーアクセス可能入力手段によって、前記ユーザーが特定のオベレーションモードを選択でき、
前記発生手段により発生された前記信号が、各選択されたオペレーションモードを表す信号を含むことを特徴とするユーザー管理インターフェース。
【請求項１０】
請求項9のユーザー管理インターフェースにおいて、
第一オペレーションモードでは、前記第一モードを選択するためにとられた前記ユーザーアクセス可能入力手段の操作に続く前記ユーザーによって行われる前記ユーザーアクセス可能手段の最初の操作が、前記EASシステムを作動停止するために前記ユーザーによってなされた要求を表し、
前記発生手段が、各前記最初の操作に応答して、前記EASシステムを作動停止させる指示として前記EASシステムによって理解される信号を発生することを特徴とするユーザー管理インターフェース。
【請求項１１】
請求項10のユーザー管理インターフェースにおいて、
前記受信手段が、前記EASシステムが作動停止すると、該作動停止を表す信号を受信して前記表示手段に前記EASシステムの作動停止状態を表示させることを特徴とするユーザー管理インターフェース。
【請求項１２】
請求項10のユーザー管理インターフェースにおいて、
第二オペレーションモードにおいて、前記第二オペレーションモードを選択するために前記ユーザーアクセス可能入力手段の操作に続く前記ユーザーが行う前記ユーザーアクセス入力手段の第二の操作によって、前記ユーザーが前記EASシステムイベントデータヘ順次アクセスすることが許可され、
前記発生手段が、各前記第二の操作に応答して、EASシステムイベントデータおよび前記EASシステムイベントデータの識別を前記管理インターフェースに送信することの要求であるように前記EASシステムにより認識される信号を発生し、
前記受信手段が、前記送信されたEASシステムイベントデータと前記EASシステムイベントデータの前記同定とを受信して、前記EASシステムイベントデータを前記ディスプレイ手段に表示すると共に前記EASシステムイベントデータを同定したことを表示することを特徴とするユーザー管理インターフェース。
【請求項１３】
請求項12のユーザー管理インターフェースにおいて、
第三オペレーションモードにおいて、前記EASシステムが、前記第三オペレーションモードの選択を、非アクティブ化装置を作動停止させる命令として認識し、前記非アクティブ化装置が作動停止され、前記第三オペレーションモードを選択するために前記ユーザーが前記ユーザーアクセス可能入力手段を操作した後の前記ユーザーによる前記ユーザーアクセス可能入力手段の第三の操作によって、前記ユーザーが前記EASシステムイベントデータに順次にアクセスすることが許可され、
前記発生手段が、各前記第三の操作に応答して、EASシステムイベントデータと前記EASシステムイベントデータの同定とを前記管理インターフェースに送信することの要求として前記EASシステムにより認識される信号を発生し、
前記受信手段が、前記送信されたEASシステムイベントデータと前記EASシステムイベントデータの前記同定とを受信して、前記EASシステムイベントデータを前記ディスプレイ手段に表示させると共に前記EASシステムイベントデータの同定を表示させることを特徴とするユーザー管理インターフェース。
【請求項１４】
請求項13のユーザー管理インターフェースにおいて、
前記ユーザーアクセス可能操作手段が、前記第一、第二および第三オペレーションモードを選択するための第一、第二および第三位置を有するキースイッチと、前記第一、第二および第三の操作を実行するための暫時スイッチとを含み、
前記ディスプレイ手段が、前記システムイベントデータを表示するための主ディスプレイと、EASシステムステータスランプと、各々が異なった前記EASシステムイベントの一つを表示するシステムイベントランプとを含み、
前記発生手段が、前記オペレーションモードを表す前記信号を発生するために前記キースイッチに応答するスイッチ組立体を含むことを特徴とするユーザー管理インターフェース。
【請求項１５】
請求項14のユーザー管理インターフェースにおいて、
前記スイッチ組立体が、前記ディスプレイに現在表示されている前記EASシステムイベントデータをゼロにリセットすることを表す信号を発生させるために、前記ユーザー管理インターフェースに接近した磁石に応答することを特徴とするユーザー管理インターフェース。
【請求項１６】
請求項15のユーザー管理インターフェースにおいて、
前記スイッチ組立体が前記磁石に応答して、前記第三モードにおいて、前記ディスプレイにより現在表示されている前記EASシステムイベントデータをゼロにリセットすることを表す信号を発生させることを特徴とするユーザー管理インターフェース。
【請求項１７】
請求項1のユーザー管理インターフェースにおいて、
前記発生手段がマイクロコントローラを含むことを特徴とするユーザー管理インターフェース。
【請求項１８】
請求項17のユーザー管理インターフェースにおいて、
前記発生手段がキーボード手段を含み、
前記マイクロコントローラが前記キーボード手段に応答することを特徴とするユーザー管理インターフェース。
【請求項１９】
請求項18のユーザー管理インターフェースにおいて、
前記キーボード手段が、EASシステムステータスイベントデータを得るため前記マイクロコントローラへ要求を入力するためのキーボードと、前記マイクロコントローラに同定情報を供給するためのキーパッドとを含むことを特徴とするユーザー管理インターフェース。
【請求項２０】
請求項18のユーザー管理インターフェースにおいて、
前記受信手段が、前記マイクロコントローラに接続されたデジタル信号ポートと、前記マイクロコントローラに接続されたディスプレイとを含むことを特徴とするユーザー管理インターフェース。
【請求項２１】
請求項17のユーザー管理インターフェースにおいて、
前記受信手段がさらに、前記マイクロコントローラに接続された赤外線トランシーバー手段を含むことを特徴とするユーザー管理インターフェース。
【請求項２２】
請求項17のユーザー管理インターフェースにおいて、
前記受信手段が、ビデオ入力ポートと、該ビデオ入力ポートおよび前記マイクロコントローラに結合されたビデオプロセッサ手段とを含むことを特徴とするユーザー管理インターフェース。
【請求項２３】
請求項17のユーザー管理インターフェースにおいて、
前記受信手段が前記マイクロコントローラに結合されたスピーカー／マイクロフォンユニットを含むことを特徴とするユーザー管理インターフェース。
【請求項２４】
請求項23のユーザー管理インターフェースにおいて、
前記スピーカー／マイクロフォンユニットが、前記マイクロコントローラに接続されたオーディオプロセッサ手段と、該オーディオプロセッサに接続されたスピーカーと、前記オーディオプロセッサに接続されたマイクロフォンとを含むことを特徴とするユーザー管理インターフェース。
【請求項２５】
電子的物品監視（EAS）システム及び当該EASシステムに接続されたEASタグ非アクティブ化装置と
該EASシステム及びEASタグ非アクティブ化装置との対話、監視および制御を行うためのユーザー管理インターフェースであって、
ユーザーが操作するためのユーザーアクセス可能入力手段と、
該ユーザーアクセス可能入力手段に応答して前記EASシステムと対話し、前記EASシステムの監視および制御を行なうための信号を発生する発生手段と、
前記EASシステムから信号を受信して該信号に関する表示を与える受信手段であって、該受信手段によって前記EASシステムから受信した前記信号が、EASシステムイベントデータを示す信号を含み、前記ユーザーアクセス可能入力手段は、種々の運転モードを確立するために、前記EASシステム及び/又はEASタグ非アクティブ化装置を選択的に作動、非作動の状態にすることができるようになっている、ユーザー管理インターフェースとを備える組合せ。
【請求項２６】
請求項25の組合せにおいて、
前記EASシステムが中央ステーションを備え、該中央ステーションが、EASシステムイベントデータを格納する手段と、前記EASシステムを制御するためのプログラム駆動の中央処理ユニットとを含んでおり、該中央処理ユニットが、前記ユーザー管理インターフェースの前記発生手段によって発生される1又は2以上の前記信号に応答して前記ユーザー管理インターフェースの前記受信手段によって受信される前記信号の1又は2以上を発生させるようにされたことを特徴とする組合せ。
【請求項２７】
請求項26の組合せにおいて、
前記EASシステムがさらに、マイクロコントローラを持つローカルステーションを備えており、該マイクロコントローラが、前記中央ステーションの中央処理ユニットおよび前記ユーザー管理インターフェースと通信し、さらに、それらの間で信号をリレーすることを特徴とする組合せ。
【請求項２８】
請求項27の組合せにおいて、
前記ローカルステーションが、さらに、呼びかけ領域に呼びかけ信号を送信し、さらに該呼びかけ領域から呼びかけ信号を受信するための送信器および受信器のアンテナ組立体と、前記呼びかけ領域を通過する人員を感知するための運動センサとを含み、
前記組合せが、さらに、EASタグを非アクティブ化するための非アクティブ化装置を含み、
前記運動センサおよび該非アクティブ化装置が前記マイクロコントローラと通信することを特徴とする組合せ。
【請求項２９】
請求項28の組合せにおいて、
前記相互作用が前記EASシステムの作動化および作動停止の1又は2以上を制御することを特徴とする組合せ。
【請求項３０】
請求項29の組合せにおいて、
前記受信手段が、前記EASシステムイベントデータと、表示されているデータの形式を表示するディスプレイ手段とを含むことを特徴とする組合せ。
【請求項３１】
請求項30の組合せにおいて、
前記EASシステムイベントデータが、前記EASシステムの警報状態の個数、前記EASシステムを通過した人員数、前記EASシステムの作動停止回数および前記EASシステム内のEASタグが非アクティブ化された回数の内の1又は2以上を含むことを特徴とする組合せ。
【請求項３２】
請求項31の組合せにおいて、
前記受信手段によって前記EASシステムから受信された前記信号が、EASタグ非アクティブ化装置および前記EASシステムの作動および作動停止の1又は2以上を表す信号をさらに含み、また
前記受信手段が、さらに、前記EASタグ非アクティブ化装置および前記EASシステムの作動状態および作動停止状態の1又は2以上を表示するための表示手段を含むことを特徴とする組合せ。
【請求項３３】
請求項25の組合せにおいて、
前記発生手段がマイクロコントローラを含むことを特徴とする組合せ。
【請求項３４】
請求項33の組合せにおいて、
前記発生手段がキーボード手段を含み、
前記マイクロコントローラが前記キーボード手段に応答することを特徴とする組合せ。
【請求項３５】
請求項34の組合せにおいて、前記キーボード手段が、
EASシステムステータスイベントデータを得るために前記マイクロコントローラに要求を入力するためのキーボードと、
前記マイクロコントローラに同定情報を供給するためのキーパッドとを含むことを特徴とする組合せ。
【請求項３６】
請求項34の組合せにおいて、
前記受信手段が、前記マイクロコントローラに接続されたデジタル信号ポートと、前記マイクロコントローラに接続されたディスプレイとを含むことを特徴とする組合せ。
【請求項３７】
請求項33の組合せにおいて、
前記受信手段がさらに、前記マイクロコントローラに接続された赤外線トランシーバー手段を含むことを特徴とする組合せ。
【請求項３８】
請求項33の組合せにおいて、
前記受信手段が、ビデオ入力ポートと、該ビデオ入力ポートおよび前記マイクロコントローラに結合されたビデオプロセッサ手段とを含むことを特徴とする組合せ。
【請求項３９】
請求項33の組合せにおいて、
前記受信手段が前記マイクロコントローラに結合されたスピーカー／マイクロフォンユニットを含むことを特徴とする組合せ。
【請求項４０】
請求項39の組合せにおいて、
前記スピーカー／マイクロフォンユニットが、前記マイクロコントローラに接続されたオーディオプロセッサ手段と、前記オーディオプロセッサに接続されたスピーカーと、前記オーディオプロセッサに接続されたマイクロフォンとを含むことを特徴とする組合せ。
【発明の詳細な説明】
発明の背景
本発明は電子物品監視（electronic article surveillance）（EAS）システム用のユーザー管理インターフェースに関し、特にEASシステムとインターフェースを行う装置に関する。
最近開発されたEASシステムでは、システムのオペレーションを制御するために、中央処理ユニットを含む中央ステーションが使用されている。この中央ステーションはシステムの送信器及び受信器組立体に制御信号を与え、それにより、呼びかけ信号が呼びかけ領域に送信され、また、その呼びかけ領域から信号を受信することができるようにする。
中央ステーションはまた、その受信器組立体により受信された信号の処理を行うと共に、EASタグ信号がその受信信号内に含まれるか否かの決定を行う。中央ステーションはEASタグ信号が存在することを発見すると警報状態を発生させて、可聴及び可視警報またはそれらの一方をアクティブ化する。
上記のEASシステムではシステムへのアクセスが制限されている。EASシステムの製造会社の設置・メンテナンス要員および販売員のみまたはそれらの一方の者のみが、システムの初期化およびメンテナンスのためにその中央ステーションにアクセスできる特殊な機器を持っている。この中央ステーションはアクセス不可能な場所に置かれていることがあり、これは設置及びメンテナンス要員にとっても困難な手順の一つとなっている。
さらに、EASシステムのユーザーはシステムへのアクセスを許可されておらず、システムのオペレーションに関して限定されたデータを与えられているにすぎない。通常、発生した警報数を示すため、単純なカウンタがアンテナ組立体に設けられているが、これが提供される情報の限界である。
最近、EASシステムのユーザーは、メンテナンスおよび操作の目的のために、ある程度のシステムの制御を行う必要があることを表明している。
それゆえ本発明の目的は、EASシステムにユーザーアクセスが行えるためのユーザー管理インターフェースを与える点にある。
本発明の別の目的は、EASシステムの操作をユーザーがある程度できるようなユーザー管理インターフェースを与える点にある。
本発明のさらに別の目的は、ユーザーが、EASシステムのステータス（状態）および当前記システム内で起きるイベントに関するデータにアクセスできるようなユーザー管理インターフェースを与える点にある。
発明の概要
本発明の原理に基づき、上記およびその他の目的は下記のユーザー管理インターフェースにおいて実現される。このインターフェースは、ユーザーによる起動のためのユーザーのアクセス可能な入力手段と、このユーザーアクセス可能作動手段に応答してEASシステムと対話を行うための信号を発生する発生手段と、EASシステムから信号を受信するとともにその受信した信号に関連する指示を与えるための手段とを含む。
以下に開示するユーザー管理インターフェースの一つの実施例では、ユーザーアクセス可能入力手段および発生手段は協同して種々の運転モードを確立するための信号を発生し、それらのモードでは本EASシステムおよびEASタグ非アクティブ化装置（EAS tag deactivation device）を選択的に作動および／または非作動にすることができ、システムのイベントに関するデータを処理することができる。アクセスされたシステムイベントデータとEASシステム及び非アクティブ化装置の作動／非作動状態とに対応する信号が、インターフェースの受信手段によって受信される。この受信手段は、その指示を、システムイベントデータを表示することによって、表示予定のシステムイベントデータの種類を表示することによって、さらに、EASシステムおよび非アクティブ化装置のステータスの指示を表示することによって行われる。
インターフェースの入力手段は、インターフェースに保障を与えるための回転キースイッチ（rotatable key switch）を含む。このキースイッチのいろいろの位置が種々の動作モードを確立するとともに前記発生手段に信号を発生させ、この信号がシステムに動作モードを関係付け、さらに、ユーザーアクセス可能入力手段の暫時スイッチを介して行われるその後のユーザー入力をシステムに解釈させるようにシステムを調整する。
EASシステムおよび非アクティブ化デバイスが作動状態にある第一動作モードに対応する第一キースイッチ位置では、暫時スイッチのアクティブ化によって発生手段に信号を発生させ、その信号によって、既定の時間だけEASシステム自分自身が作動停止させる。EASシステムが作動され、かつ非アクティブ化デバイスが作動及び作動停止となるそれぞれの第２および第３動作モードに対応する第２および第３キースイッチ位置では、暫時スイッチのアクティブ化によって、発生手段がイベントデータリクエスト信号を発生する。暫時スイッチを連続的にアクティブ化すると、異なるイベントデータリクエスト信号が発生する。各イベントデータリクエスト信号によって、EASシステムが特別に要求されたイベントデータにアクセスし、そのデータを保持する信号がインターフェースの受信手段により受信され、そのデータはデータ形式の指示とともに表示される。
発生手段はまた、特定の一つの位置にあるキースイッチによってリセット信号を発生するようにされている。EASシステムは、現在表示されているイベントデータをゼロにリセットすることによってそのリセット信号に応答する。
ユーザー管理インターフェースの別の実施例では、インターフェースはマイクロコントローラとキーパッド付きの入力キーボードを含む。
図面の詳細な説明
本発明の上記および他の特徴および観点は添付の図面を参照しつつ以下の詳細な説明を読むことにより一層明白になろう。
図１は本発明の原理に基づくユーザー管理インターフェースを含んだEASシステムを示す。
図２は図１のEASシステムのローカルステーションを詳細に示す。
図３は図１のユーザー管理インターフェースの正面パネルを詳細に例示する。
図４乃至図９は図１のEASシステムで使用される種々のデータメッセージの内容を例示する。
図１０は図１のEASシステムにおけるローカルステーションで使用される論理表を例示する。
図１１A乃至図１１Ｃは図１のユーザー管理インターフェースの回路構成を例示する。
図１２は本発明の原理に基づくユーザー管理インターフェースの別の実施例を示す。
図１３は図１２のユーザー管理インターフェースのブロック線図を示す。
発明の詳細な説明
図１は本発明の原理に基づくユーザー管理インタフェース２を利用するEASシステムを示す。そのシステム１は中央ステーション３と呼びかけ領域６にEASタグが存在することを監視するためのローカルステーション４とを備える。EASタグ非アクティブ化装置７はタグ５が領域６を通過する前に非作動化することができる。
中央ステーション３では、制御プログラム９によって駆動される中央処理ユニット８がシステム１の全体の制御を行うように用いられている。メモリ１１が中央ステーション３にデータを記憶するために用いられており、メモリ１１は、記憶位置１１A−１１Dを備えていて、ユーザー管理インタフェース２からアクセスされる以下のシステム異イベントデータ、つまり、警報計数データと、EASタグ非アクティブ化カウントデータと、バイパス計数データと、人員計数データとを記憶する。
警報計数データは、中央ステーション３において、中央処理ユニット８により、中央処理ユニットによって確立された警報条件の数に基づいて発生される。バイパス計数データもまた、ユーザー管理インタフェース２において発生された非作動又はバイパス信号の結果、EASシステムが中央処理ユニット８によって非作動にされた回数に基づいて、中央処理ユニット８において発生される。
EASタグ非アクティブ化計数データは、非アクティブ化装置７が領域６内でEASタグ５を非アクティブ化した回数に基づいている。このデータはローカルステーション４を経由して中央処理ユニット８に入力される。人員計数データは、呼びかけ領域６を通過する人々の数に基づいており、やはりローカルステーション４から中央処理ユニットに入力される。
図２はローカルステーション４をより詳細に示す。図に示すように、このローカルステーションは送信器及び受信器アンテナ組立体４１、４２を備えており、これらは領域６中へ電磁信号を送信し、この領域から信号を受信する。送信アンテナ組立体４１は、中央ステーション３に接続されている線４３の信号によって駆動されるが、受信器アンテナ組立体４２はその受信した信号を線４４を介して中央ステーション３に送る。
ステーション４のマイクロコントローラ４５は双方向シリアル通信経路４６を通じて中央ステーション３に信号を送り、また中央ステーション３から信号を受信する。マイクロコントローラ４５は出力用シリアルデータ通信経路４７及び「計数」と記した出力線４８を経由してユーザー管理インターフェース２と通信する。マイクロコントローラ４５はキー１、キー２、およびMOMと記された入力線４９、５１および５２を通してインターフェース２からデータを受信する。
マイクロコントローラ４５は、また、人が領域６通過する時を検出するように配置された運動センサ５４からの入力線５３を介する信号も受信する。これらの信号により、マイクロコントローラ４５が中央ステーション３の中央処理ユニット８に人員計数データを送信して、記憶位置１１D内に格納された人員計数イベントデータを確立する。同様にして、非アクティブ化デバイス７が、入力／出力線５５を介してマイクロコントローラ４５と通信する。これらの通信の結果、マイクロコントローラが非アクティブ化計数データを中央処理ユニット８に送信して記憶位置１１Bに格納されているEASタグ非アクティブ化計数イベントデータを確立する。
ユーザー管理インターフェース２によって、EASシステム１のユーザーはシステムへのアクセスを獲得して、システムおよび非アクティブ化装置７を制御するための動作モードを確立することができる。インターフェース２によって、また、ユーザーは、中央ステーション３のメモリ１１の記憶位置１１A−１１Dに格納されているステータスデータとシステムイベントデータとを獲得することができる。このデータアクセスおよびデータ獲得は、インターフェース２がマイクロコントローラ４５を介して中央ステーション３の中央処理ユニット８と交信することにより発生する。その場合、マイクロコントローラ４５はこのインターフェースとユニットとの間で情報を往復的にリレーする働きをする。
しかしながら、本発明はインターフェース２が中央処理ユニット８と直接に通信する状況にも対応するように意図されている点に注目すべきである。そのような場合、マイクロコントローラ４５を仲介者として使用する必要性はない。
図３に、ユーザー管理インターフェース２の正面パネル2Aをより詳細に示す。図示するように、このインターフェースは主ディスプレイ６１、３位置キースイッチ６２、ステータスランプ６３−６６、暫時スイッチ６９および可聴ユニット７１を含む。ステータスランプ６３−６６は、警報計数データ、人員計数データ、バイパス計数データ、あるいは非アクティブ化計数データのいずれかのようなディスレー61に表示されているデータ形式をしめす。ランプ６７−６８はそれぞれEASシステム１および非アクティブ化装置７の作動ステータス/非作動ステータスを示す。
キースイッチ６２はインターフェース２にセキュリティーを与えるが、それは、ユーザーはユーザーがEASシステム１にアクセスして選択的にそれを制御するようにインターフェース２を動作させることができるようになる前にセキュリティーキーを持たなければならないからである。一旦必要なセキュリティーキーをキースイッチ６２内に挿入すると、ユーザーは３つの動作モードに対応するスイッチの３位置の任意の一つを選択することができる。
キースイッチ６２の鉛直方向に対応するオペレーションの第１のモードでは、呼びかけ領域６は通行できるように開かれており、EASシステム１は予め選択された時間だけ暫時スイッチ６９を暫時押すことにより、作動状態から非作動状態にすなわちバイパス状態に切り換えることができる。このオペレーションのモードでは、EASシステム１および非アクティブ化デバイス７は通常両方とも作動される。鉛直方向に対して４５°のキースイッチに対応する第二のオペレーションのモードでは、呼びかけ領域は再び通行できるように開かれ、EASシステム１および非アクティブ化デバイス７は常時作動される。このオペレーションのモードでは、中央ステーション３に格納されている別のシステムイベントデータにアクセス可能であり、連続して暫時スイッチ６９を瞬時押すことによりそれをディスプレイ６１上に表示することができる。
特に、暫時スイッチ６９が最初に押されたとき、中央ステーション３のメモリ１１の記憶位置１１Aに格納されている警報計数データがディスプレイ６１上に表示される。この時点で、警報計数ステータスランプ６３も作動すなわち点灯されて、警報計数データが表示されていることを示す。スイッチ６９が再び押されると、中央ステーション３のメモリ１１の記憶位置１１Bに格納されている非アクティブ計数データがディスプレイ６１上に表示され、非アクティブ化計数ステータスランプ６６が作動すなわち点灯される。スイッチ６９が押される三回目には、中央ステーション３のメモリ１１の記憶位置１１Ｃに格納されているバイパスまたは非作動計数データがディスプレイ６１上に表示されて、バイパス計数ステータスランプ６５が作動すなわち点灯される。最後に、押される四度目には、中央ステーション３のメモリ１１の記憶位置１１Ｄに格納されている人員計数データがディスプレイ６１上に表示されて、人員計数ステータスランプ６４が作動つまり点灯される。
最後のスイッチ位置すなわちスイッチが水平になるスイッチ６２の第三の位置では、呼びかけ領域６は通行できないように閉じられており、EASシステム１は作動されており、非アクティブ化装置７は非作動にされている。このモードのオペレーションでは、第二スイッチ位置におけるキースイッチについて述べたと同様に、暫時スイッチ６９は、中央ステーション３のメモリ１１内にあるシステムイベントデータへのアクセスを順次取得するために、再び暫時的に押すことができる。加えて、この第三スイッチ位置では、非アクティブ化装置７が作動停止されているので、呼びかけ領域６を通過し、あるいはそれに接近する誰かが未承認で非アクティブ化装置７を使用することが阻止される。
上述した各モードのオペレーションの期間中は、インターフェース２のEASシステムステータスランプ６７および非アクティブ化装置ステータスランプ６８はそれぞれのコンポーネントが作動状態になっているとき作動すなわち点灯される。かくして、第一および第二モードではランプ６７および６８は共に通常は点灯されているが、第三モードではランプ６７のみが通常点灯されている。
アクセスキーがキースイッチ６２から取り外されると、オペレーションモードはキーが除去されたときのキースイッチの位置によって制御される。オペレーションのモードは従って第一、第二、あるいは第三モードのいずれかとなり、インターフェースはそれに従って機能する。しかし、アクセスキーを取り外すと、ユーザーは他のオペレーションモードのいずれにも切換えを行うことができなくなる。
以下にさらに詳細に説明するように、キースイッチ６２および暫時スイッチ６９のオペレーションは、上述したように、インターフェースをローカルステーション４に接続しているKEY1線４９、KEY2線５１、MOM線５２のステータスすなわち電圧レベルを制御する。これらのステータスすなわち電圧レベルはローカルステーションのマイクロコントローラ４５によって監視されて、記憶される。
マイクロコントローラ４５および中央ステーション３の中央処理ユニット８は、予定の期間t1およびtcの間、それぞれ、双方向通信経路４６を介して相互に通信する。各期間t1の間、マイクロコントローラ４５はKEY1、KEY2およびMOM線の上記のステータスに対応するデータを含んだデジタルメッセージを中央処理ユニット８に送信する。中央処理ユニット８は、このメッセージを受信すると、このデータからKEY1、KEY2線のステータスを、したがってキースイッチにより選択された動作モードを認識する。この認識されたモードに基づいて、中央処理ユニット８は、やはり送信されたメッセージ内のデータから認識したMOM線の当前記モードに対応するステータスを適切に処理する。
オペレーションモードを認識し、MOM線ステータスを認識した後、中央処理ユニット８は次いで応答メッセージをマイクロコントローラ４５の送信する。このメッセージは1又は２以上の定期的送信期間tcの中で送信される。マイクロコントローラ４５は、次いで、適切な対応するメッセージをインターフェース２および非アクティブ化装置７へリレーすることによりこれらのメッセージに応答する。
マイクロコントローラ４５によりインターフェース２へリレーされた第一形式のメッセージは、ステータスランプ６３−６８の作動／非作動状態を制御するためのステータス信号を確立するためのデータを含む。この第一形式のメッセージはまた、ディスプレイ６１をリセットするとともに可聴ユニット７１の作動／非作動条件を制御するためのデータをも含んでいる。この第一形式のメッセージはシリアル通信経路４７を介してシリアルビットストリームとして送信される。
マイクロコントローラ４５によりインターフェース２にリレーされる第二形式のメッセージはディスプレイ６１により表示される情報を制御するための信号を確立するためのデータを含む。このメッセージは計数線４８を介して送信される。
中央処理ユニット８、マイクロコントローラ４５、およびインターフェース２の間で送信されるメッセージを詳細に論ずる前に、第三オペレーションモードにおけるインターフェース２のリセット性能を論ずる。このモードのオペレーションにあるときは、インターフェース２はさらに、正面パネル２Ａ上の位置２Ｂの近くに持ってこられた磁石に応答して、KEY2線のステータス（電圧レベル）を、第三モードをのステータス（電圧）から変化させるようにされている。
KEY2線のこのステータス変化は、マイクロコントローラ４５に記憶され、そのマイクロコントローラ４５の次の定期的送信期間t1では、この変化はこのマイクロコントローラから中央処理ユニット８に送られるメッセージのデータに反映される。中央処理ユニット８は、この受信メッセージ内のそのデータから、現在ディスプレイ６１上に計数データが表示されているものの記憶位置１１A−１１Ｄのうちの特定の一つがゼロにリセットされるべきであることを認識する。次いで中央処理ユニット８はこの記憶位置をゼロに設定し、ディスプレイ６１により表示されている情報がゼロにリセットされるべきことを示す応答メッセージをマイクロコントローラに送る。
このメッセージが一旦マイクロコントローラ４５に受信されると、マイクロコントローラ４５は次いでこのメッセージを径路４７を介してインターフェース２にリレーする。このとき、ディスプレイ６１上の現在の計数はゼロにリセットされる。
図４は通常はマイクロコントローラ４５から中央処理ユニット８へ各周期的期間t1内に送信されるデジタルメッセージ１０１を例示する。図５は中央処理ユニット８からマイクロコントローラ４５へ通常は各周期的期間tc内に送られるデジタルメッセージ１０２を例示する。図６は、通常は、マイクロコントローラ４５によってシリアル通信経路４７上のインターフェース２へ送信又はリレーされるシリアルメッセージ１０３を示す。図７は、第二および第三オペレーションモードでスイッチ６９が暫時押されたことに応答して、システムイベント計数データを運ぶために中央処理ユニット８からマイクロコントローラ４５へ送信されるメッセージ１０４Ａ，１０４Ｂおよび１０４Ｃを例示する。
メッセージ１０１は、同定データ１０１Ａ，１０１Ｂ、予約データ位置１０１Ｃ、EASタグ非アクティブ化装置計数データ１０１Ｄ、MOM線ステータスデータ１０１Ｅ、KEY2線ステータスデータ１０１Ｆ、KEY1線ステータスデータ１０１Ｇ、および運動センサ計数データ１０２Hを含む。メッセージ１０２は、同定データ１０２Ａ，１０２Ｂ、作動／非作動非アクティブ化装置データ１０２Ｃ、現イベント計数増分データ１０２Ｄ、ローカルステーション可聴作動／非作動データ１０２Ｅ、EASシステムステータスデータ１０２Ｆ、非アクティブ化装置ステータスデータ１０２Ｇおよびローカルステーションランプ作動／非作動データ１０２Ｈを含む。
メッセージ１０３は、EASシステムランプデータ１０３Ａ、非アクティブ化装置ステータスランプデータ１０３Ｂ、警報ランプデータ１０３Ｃ，人員ランプデータ１０３Ｄ、バイパスランプデータ１０３Ｅ、EASタグ非アクティブ化ランプデータ１０３Ｆ、可聴作動／非作動データ１０３Ｇ、およびディスプレイリセットデータ１０３Ｈを含む。
メッセージ１０４Ａおよび１０４Ｂは、ディスプレイ６１のための高および低ビット計数用の計数０ないし計数７および計数８ないし計数１５までの計数データを含む。メッセージ１０４Ｃは、可聴周波数データAud1ないしAud3、予約データＲ、およびディスプレイデータDisp0ないしDisp1を含む。これらのディスプレイデータは全体として、図１０に示すように、表に基づいて、いずれのイベント計数ステータスランプが作動されるかを示す。
上記の通り、メッセージ１０１はそれぞれの定期期間t1にマイクロコントローラ４５から中央処理ユニット８へ送信される。そのメッセージ１０１のデータ１０１Ｄおよび１０１Ｈは中央処理ユニット８によりEASタグ非アクティブ化計数および人員計数の増加を示すものであると理解される。従って、このデータに基づいて、中央処理ユニット８はこれらシステムイベントを格納している記憶位置１１Ｂおよび１１Ｄを増加させる。
メッセージ１０１内の他のデータおよび他のメッセージ１０２、１０３および１０４Ａ−Ｄ内のデータがどのように解されて処理されるかは後続の記述に含まれており、そこでは、上記のオペレーションモードが、インターフェース２、マイクロコントローラ４５および中央処理ユニット８間で送信される一連のメッセージとして記述されている。第一モードのオペレーションは、キースイッチ６２の鉛直位置に対応し、このモードではKEY1線４９は高電圧レベルにあり、KEY2線５１は低電圧レベルにある。マイクロコントローラ４５はこれらの電圧レベルすなわち状態を認識して格納し、中央処理ユニット８にメッセージ１０１送信する次の定期送信期間において、送信されたメッセージ１０１が、それら高低状態を示すKEY1線およびKEY2線の状態データ１０１Ｇおよび１０１Ｆを搬送する。
メッセージ１０１が中央処理ユニット８で受信されると、中央処理ユニット８はKEY1線およびKEY2線の状態データから、KEY1線およびKEY2線のそれぞれの高低状態を認識する。中央処理ユニット８はこれらの状態から、ユーザーが第一動作モードを選択したことを理解する。したがって中央処理ユニット８はさらに、暫時的に暫時スイッチ６９が押されたことを示すMOM線状態データ１０１Ｅを有する後続のメッセージ１０１に、EASシステム１を作動停止させる中央処理ユニット８が予定の時間だけ応答すべきであると理解する。中央処理ユニット８はまた、この第一動作モードでは主ディスプレイ６１が警報計数に設定され、かつ警報計数に保持されるべきであることを理解する。
もしも第一モード位置にキースイッチ６２を配置する時点でこの警報計数が表示されていないとすると、中央処理ユニット８はこのことをシステムイベントデータが現在表示されていないことを示す格納済みの情報から認識する。中央処理ユニット８は次いでメッセージ１０４−Cを集合してマイクロコントローラ４５に送信するが、そのメッセージは、ディスプレイ６１にこの警報計数を表示させるとともに、警報計数ステータスランプ６３を点灯させるためのデータを含む。これらのメッセージを受信すると、マイクロコントローラ４５は計数線４８およびシリアルパス４７をそれぞれ通して適当な警報計数およびランプステータスデータすなわち情報をインターフェース２にリレーする。インターフェース２は次いでディスプレイ６１内に現警報計数を表示することにより、また警報計数ステータスランプ６３を点灯することによりこの情報に応答する。
もしもここでユーザーが暫時的にスイッチ６９を押すと、MOM線５２は低電圧レベルに下げられる。この電圧レベル（状態）の変化はマイクロコントローラ４５によって認識されて格納される。マイクロコントローラ４５によって中央処理ユニット８に送られる次のメッセージ１０１では、MOM線５２の状態変化を反映させるようにMOM線状態データ１０１Ｅが変わる。このデータ変化は中央処理ユニット８によって認識され、これに応答して中央処理ユニット８はEASシステム１を予定期間だけ非作動にする。中央処理ユニット８は、例えば送信器４１への信号電力を停止することにより、それを達成する。
中央処理ユニット８によってマイクロコントローラ４５に定期的に送られる次のメッセージ１０２では、中央処理ユニット８はシステムステータスデータ１０２Ｆを変化させてEASシステム１の作動停止を示す。メッセージ１０２を受信すると、マイクロコントローラ４５はインターフェース２にパス４７を経由して送られたシリアルメッセージ１０３内のEASシステムステータスデータを変化させる。インターフェース２は次いでこのデータ変化を認識し、システムが作動停止されていることを示すためEASシステムステータスランプ６７を作動停止する。
例えば中央処理ユニット８が再び送信器４１に電力を供給するようにすることにより、既定時間の後に、EASシステム１が作動されると、中央処理ユニット８により送られる次の定期的メッセージ１０２が、EASシステム１の作動を示すEASシステムステータスデータ１０２Ｆ内の変化を反映する。データのこの変化は、線４７上でシリアルメッセージ１０３内のシステムステータスデータ１０３Ａの変化を介してマイクロコントローラ４５により再びリレーされる。ユーザーインターフェース２はこのデータ変化を認識して、システムステータスランプ６７を再び作動させ、EASシステム１のアクティブ状態を示す。
この第一モードオペレーションにおいては、連続的に暫時的にスイッチを押すと、同じシーケンスのイベントが起きる。すなわち、システム１が予め選択された期間だけ停止され、ステータスランプ６７が作動停止され、システム１が予定時間後に作動され、ステータスランプ６７がシステム作動時に作動される。
ここでキースイッチ６２が45°の位置まで回転されると、第二モードのオペレーションが選択される。このモードのオペレーションでは、KEY1線４９は高電圧レベルに留まり、KEY２線は低電圧レベルになる。線４８および５１のこれらの状態すなわち電圧レベルは、マイクロコントローラ４５により監視され、記憶され、次の定期的期間１０１において、線５１の状態変化がKEY２線データ１０１Ｆの変化となって現れる。
メッセージ１０１が中央処理ユニット８によって受信されると、中央処理ユニット８はKEY2線のデータおよびKEY１線のデータにおける変化から、第二オペレーションモードが選択されていることを認識する。中央処理ユニット８はこのとき、MOM線データ１０１Ｅに生じる任意の継続する変化は次に続くシステムイベントについてシステムイベントデータを表示せよとの要請であると理解する。
ここで暫時的スイッチ６９が押されると、ＭＯＭ線５２は、マイクロコントローラ４５により監視されて記憶される低電圧レベル又は状態になる。そうするとマイクロコントローラ４５はそれが発する次のメッセージ１０１においてMOM線データ１０１Ｅを変化させる。このメッセージが中央処理ユニット８で受信されると、中央処理ユニット８はMOM線データ１０１Ｅの変化から、次のシステムイベントデータが表示されるであろうことを認識する。
すると中央処理ユニット８は次の定期送信期間に、次のシステムイベント計数および作動予定のステータスランプとに対応するデータをもったメッセージ１０４Ａ−１０４Ｃを送信する。マイクロコントローラ４５は次いで、システムイベントステータスランプが作動予定であることを示す対応のデータをシリアル通信経路４７経由でメッセージ１０３に入れ、また対応のメモリ位置に格納されているシステムイベント計数を示す対応のデータを計数線４８経由でメッセージ１０３に入れてインタフェース２にリレーする。インターフェース２はこのデータを受信し、適当なシステムイベント計数データをディスプレイ６１上に表示し、適当なシステムイベントステータスランプを作動させる。
連続的にスイッチ６９を暫時的に押すと同じシーケンスイベントが生じるが、その場合、押されるたびに、中央処理ユニット８は順を踏んでシステム計数データを処理する。ユーザーインターフェース２はこのようにして順を踏んで他のシステムイベント計数データを表示し、それに対応するシステムイベントステータスランプが作動される。
ここでもしもキースイッチ６２が水平位置まで回転されると、KEY２線は高電圧のレベルまたは状態になり、他方のKEY1線４９が低電圧のレベルまたは状態になる。再び、線４９および５１のこの状態変化はマイクロコントローラ４５で監視されて記憶される。中央処理ユニット８に送信される次の定期メッセージ１０１では、KEY1およびKEY2線データは線４９および５１の状態変化を反映するように変化される。メッセージ１０１が中央処理ユニット８によって受信されると、中央処理ユニット８はこのデータ変化から第三オペレーションモードが選択されたことを認識する。この選択の結果、中央処理ユニット８はまた、後続のメッセージ１０１におけるMOM線データの変化が、順次に、第二モードで遂行されたと同じように、異なるシステムイベントデータを経由する手順および送信を必要とすると言うことを認識する。したがって、暫時スイッチ６９を次に押すことによって、前述したように、ディスプレイ６１が種々のシステムイベント計数データを順次的に表示することになる。
この第三オペレーションモードでは、中央処理ユニット８はまた非アクティブ化装置が作動停止されることを認識する。その結果、メッセージ１０１を受信した後の次の定期メッセージ１０２では、中央処理ユニットは非アクティブ化装置作動／非作動データ１０２Ｃを変化させる。このメッセージがマイクロコントローラ４５で受信されると、マイクロコントローラはこのデータ変化から、非アクティブ化装置７が作動停止される予定であることを認識する。次に、停止信号が、マイクロコントローラ４５によって、線５５を経由して非アクティブ化装置７に送信され、それによって非アクティブ化装置７は作動停止される。
前述したように、この第三モードオペレーションでは、ディスプレイ６１上に現在表示されているシステムイベントデータは磁石をインターフェース２の正面パネルに接近させることによりゼロにリセットすることができる。その際、KEY1線４９は低電圧状態となり、この変化が再びマイクロコントローラ４５によって監視されて記憶される。
マイクロコントローラ４５によって行われるメッセージ１０１の次の送信では、KEY2線データ１０１Fは、KEY2の線の状態の変化を反映するように変化される。メッセージ１０１が中央処理ユニット８により受信されると、この中央処理ユニットはこのデータ変化から現在表示されているシステムステータスイベントデータがゼロにリセットされることを認識する。
次の定期的送信では、中央処理ユニット８は現在のシステムイベントデータをリセットすることを表す計数データをもったメッセージ１０４Ａ−１０４Ｃを送信する。このメッセージはマイクロコントローラ４５で受信され、マイクロコントローラ４５はこのデータの変化からディスプレイ６１がリセットされる予定であることを理解する。マクロコントローラは次いでパス４７上のメッセージ１０３内のディスプレイリセットデータ１０３Ｈを変化させる。この変化はインターフェース２で認識され、次いでインターフェース２はディスプレイ６１をゼロに変化させる。
もしも他のシステムイベントデータがリセットされるべきであるなら、ゼロにすべき所望のシステムイベントデータを表示させるために、最初に暫時スイッチ６９を押す。次いで磁石をインターフェース２の前面付近を通過させると、表示されているこのシステムイベントデータは前述したようにゼロにリセットされる。
上記のいずれのモードのオペレーションの場合でも、メッセージ１０１が中央処理ユニット８に送信されるときは、そのメッセージは、前のメッセージ１０１が送信されたとき以降に発生した人員計数とEASタグ非アクティブ化計数とのどのような増分をも報告している。このことはそれぞれのデータ１０１Ｄおよび１０１Ｈの変化となって現れる。メッセージ１０１が中央処理ユニット８によって受信されると、ユニット８はデータのこの変化から人員計数および非アクティブ化計数が適当に増大されなければならないことを認識する。ユニット８は次いで適当な記憶位置１１Ｂおよび１１Ｄ内のデータを更新する。
中央処理ユニット８からマイクロコントローラ４５に送信された各メッセージ１０２では、もしも現在表示されているステータスイベントデータが、対応する記憶位置内で増大されているなら、その増分は現イベント計数増分データ１０２Ｄ内の変化となって現れる。マイクロコントローラ４５はこの変化を認識し、対応する変化を計数線４８経由でインターフェース２にリレーする。インターフェース２は次いで表示されている計数を増大するため、ディスプレイ６１を更新する。
図１１はユーザー管理インターフェース２を与えるための詳細な回路１０１を示す。この回路はシリアル−パラレル変換器１０２、ステータスランプドライバ１０３、ステータスランプ回路１０４−１０９、ディスプレイドライバ１１１、LCDディスプレイ１１２、および警報回路１１３を含んでいる。回路１０１はまた、以下のイベントが生じるよう、キースイッチ６２により制御されるスイッチＳ１，Ｓ２，Ｓ３，およびＳ４を含む。つまり、モード１ではスイッチＳ３は閉じられており、スイッチＳ１およびS2は開かれており、スイッチＳ４は閉じることも開くこともできる。モード２ではスイッチS1、Ｓ２、およびＳ３は開かれており、スイッチＳ４は開くことも閉じることもできる。モード３ではスイッチＳ３およびＳ１は開かれており、スイッチＳ２は閉じられ、スイッチＳ４は開くことも閉じることもできる。さらにモード３ではスイッチS1はインターフェース２の正面パネル２Ａの近くに置かれる磁石の磁気力によって閉じることができる。
ユーザー管理インターフェース２はそのセキュリティーと制御性を強化するため、種々に設計変更することができる。従って、このインターフェースは、ユーザーがアクセスコードエントリーができるように、数字キーパッドを含むように設計変化することができる。そのようなキーパッドは以下のことが可能である。つまり、ユーザーIDログイン、ユーザーコマンドエントリー、および本システムに特徴的なシステム作動停止の確実な制御である。加えて、上記のキーパッドはインターフェース用のディスプレイとしても機能することができるタッチスクリーンに組み込むこともできる。このタッチスクリーンは、タッチスクリーンボタンの機能およびその結果生ずる表示がコンテクスト・センシティブでユーザーの選択に応じて相互依存的に変化するよう、「ソフトウェアキー」方式で与えることができる。
図１２はこのように設計変化された、かつさらにインターフェースの機能を増大させるように設計変化されたユーザー管理インターフェース２０１の正面パネルを示す。図に示すように、インターフェース２０１はシステムイベントその他のデータを表示するためのグラフィック・数値・ディスプレイ２０２を含む。十分な特徴を備え、キー行２０３Ａ，２０３Ｂおよび２０３Ｄをもつキーボード２０３によって情報の入力を行なうことができる。その情報には表示すべきEASシステムステータスイベントデータを同定するための情報が含まれる。
最上行のキー２０３Ａはユーザーが定義するものすなわち意図を明確にしたものとすることができる。各キーの機能はディスプレイの底部の行に表示される。
キ−行２０４Ａ，２０４Ｂ，２０４Ｃ、および２０４Ｄをもつ数字キーパッド２０４により、ユーザーがID番号あるいはpin番号を入力することにより、インターフェースにアクセスすることができる。これらのキーはまたインターフェース２のキースイッチに類似したインターフェースオペレーションのモードを確定する。
スピーカー／マイクロフォンユニット２０５によって、このインターフェースからのオーディオ出力を行なうことができ、また、インターフェースにオーディオ入力を行なうことができる。このスピーカー／マイクロフォンはボタンあるいは音声で作動させることができる。
ローカルステーション４と通信するために、デジタルインターフェースポート２０７が使用される。その代わりとして、赤外線トランシーバー２０６を用いて、インターフェースとローカルステーションとの間の通信および／または中央ステーション３との直接的通信が可能となる。
ビデオイメ画像装置入力ポート２０８によってこのインターフェースへのビデオ信号の入力も可能となる。
図１３はインターフェース２０１を形成する回路素子のブロック線図を示す。マイクロコントローラ２２０はインターフェースのオペレーションを制御する。このマイクロコントローラはデジタル線２２１および２２２を通してディスプレイ２０２とキーボード２０３とキーパッド２０４と通信する。
このマイクロコントローラはまた、別のデジタル線２２３を通して、スピーカーマイクロフォンユニット２０５のオーディオプロセッサおよびＡ／Ｄ変換器ユニット２０５Ａとも通信する。このユニットはオーディオプロセッサ２０５Aに接続されたマイクロフォンユニット２０５B及びスピーカー２０５Cを備える。別のデジタル線２２４がマイクロコントローラ２２０をビデオプロセッサA/D変換器２０８Ａに接続する。このプロセッサはビデオイ画像装置入力ポート２０８に接続されている。マイクロコントローラ２２０はまたRS−232線２２５を介してデジタルインターフェースポート２０７に結合されている。別の線２２６Ａ、２２６Ｂはマイクロコントローラを赤外線トランシーバーユニット２０６の赤外線デコーダ／エンコーダ２０６Ａに接続する。インターフェースへの電力はローカル電源２２７によって与えられる。
マイクロコントローラ２２０は、それに接続され、あるいはそれと通信する上記のコンポーネントのオペレーションを調整する。適当な動作を伴う入力を処理するマイクロコントローラのオペレーションを呼び出すために、キーボード２０３およびキーパッド２０４からの入力が使用される。
いくつかの場合、これらの入力によってマイクロコントローラはメッセージのフォーマット化を行う。それらメッセージはついでRS−232線２２５およびデジタルインターフェースポート２０７を介して出力され、および／またはディスプレイ２０２への入力として使用される。デジタルインターフェースポート２０７から出力されるメッセージはローカルステーション４に送られ、次いでローカルステーション４がそれらを中央ステーション３にリレーする。ディスプレイ２０２に入力されたメッセージはディスプレイ素子を駆動するために使用され、適当な表示を発生する。
ディスプレイメッセージはまたマイクロコントローラ２２０によっても発生され、中央ステーション３から受信したメッセージに基づいてそのディスプレイ上に入力される。これらのメッセージはローカルステーション４によってインターフェースのデジタルインターフェースポート２０７へ送られる。これらメッセージは次いでＲＳ−232線によってマイクロコントローラ２２０に入力される。この代わりとして、赤外線信号を経由して中央ステーションおよび／またはローカルステーションからインターフェースへ直接にメッセージを通信することができる。これらの信号は赤外線デコーダ／エンコーダ２０６Ａに入力され、次いでマイクロコントローラ２２０に入力される。
スピーカー／マイクロフォンユニット２０５はインターフェースへのオーディオ入力およびインターフェースからのオーディオ出力を可能にする。オーディオプロセッサおよびＡ／Ｄ変換器２０５Ａを介して、オーディオ入力はデジタル信号に変換され、デジタル信号はオーディオ出力に変換される。これら信号はマイクロコントローラ２２０に入力され、また、マイクロコントローラ２２０から受信される。このマイクロコントローラにより受信された信号は、インターフェースでの動作をマイクロコントローラによって管理し、あるいは中央ステーション３にメッセージを送信するためのいずれかに使用される。
スピーカー／マイクロフォンユニット２０５はEASシステムの警報イベントの間のオーディオ入力およびオーディオ出力を可能にする。この入力、出力は格納、呼出し、および監視装置との相互通信信号として使用することができる。
ビデオ画像入力ポート２０８は、インターフェースがそのインターフェースの在所にあるビデ装置からビデオ情報を受信することを可能にする。この装置はその位置で生じた警報イベントによってトリガーされることがある。インターフェースにあるビデオプロセッサ・Ａ／Ｄ変換器２０８Ａはビデイメージ情報をデジタルフォーマットに変換する。この情報は次いで中央ステーション３へ送信するため、マイクロコントローラによって符号化される。
上述したように、インターフェース２０１のディスプレイ２０２およびキーボード２０３は、インターフェースへの情報の入力およびローカルステーション４経由で行われるそのインターフェースから中央ステーション３への情報送信を可能にする。ディスプレイに表示される情報は、上記のとおり、EASシステムステータスデータであることがあり、計数データおよび診断データでもあり得る。加えて、この表示はキーボード２０３で入力するために可視フィードバックとして使用することができる。たとえば、EASシステム内に警報状態が生じた後は、インターフェースにアクセスする人物はキーパッド２０４を介してＰＩＮコードを入力しなければならないかもしれず、かつ／またはディスプレイ２０２上に表示されかつ警報イベントに関連したメニューに基づいて、値を選択しあるいは行動をとらなければならないかもしれない。さらに、インターフェース２０１は、本インターフェースを採用する企業の従業員および／または顧客の活動に関する種々のデータの入力を可能にする。
インターフェース２０１の別の設計変更として、システムステータスおよび警報を行うための別の可聴および可視指示を使用することができる。これらは合成音声による注意およびステータスの表示を含めることができる。
これらすべての場合、上述した構成は、本発明の用途を表すうえで可能な多数の具体的実施例を示す単なる例示に過ぎないことを了解されたい。本発明の範囲から逸脱することなく本発明の原理に基づいて、多数かつ種々の他の構成が直ちに考案できる。
【図１】
0004564597.tif 000002
【図２】
0004564597.tif 000003
【図３】
0004564597.tif 000004
【図４】
0004564597.tif 000005
【図５】
0004564597.tif 000006
【図６】
0004564597.tif 000007
【図７】
0004564597.tif 000008
【図８】
0004564597.tif 000009
【図９】
0004564597.tif 000010
【図１０】
0004564597.tif 000011
【図１１Ａ】
0004564597.tif 000012
【図１１Ｂ】
0004564597.tif 000013
【図１１】
0004564597.tif 000014
【図１１Ｃ】
0004564597.tif 000015
【図１２】
0004564597.tif 000016
【図１３】
0004564597.tif 000017